(57)【要約】【課題】非接触ＩＣカードのデータの読取り／書込み処理を行なうＩＣデータ処理ユニットを、アンテナ部とデータ処理部を一体化して配置できるスペースを、搬送路上側に確保する。【解決手段】搬送面Ａの上側に配置する押圧ローラ３３，３４を連結保持する連結部材３５を、その中央部が搬送路から離れる方向に略コ字状に折曲された形状にして搬送路上側にＩＣデータ処理ユニット３８設置用のスペースを形成し、アンテナ部とデータ処理部を一体化したＩＣデータ処理ユニット３８を設置する。連結部材３５の両端部上面とガイド部材３６のリテーナ部３６ａ，３６ａとの間には、コイルバネ３７，３７を介在し、押圧ローラ３３，３４を搬送ローラ３１，３２側に弾性付勢する。【選択図】　図１
2004013633.tif 000002
【特許請求の範囲】
【請求項１】
非接触ＩＣカードの搬送路に沿って間隔を設けて配置される搬送ローラと搬送面を挟んで対向して搬送路上側に配置され、連結部材により互いに連結されて前記搬送ローラ側に弾性付勢される一対の押圧ローラを備え、該一対の押圧ローラ間の搬送路部分で、アンテナ部とデータ処理部を備えるＩＣデータ処理ユニットにより前記非接触ＩＣカードに対してデータの読取り／書込み処理を行なう非接触ＩＣカード処理装置であって、
前記連結部材を、両端部に前記押圧ローラを回転自由に設け中央部が搬送路から離れる方向に略コ字状に折曲された形状にすると共に、前記連結部材の上面側を介して押圧ローラを搬送ローラ側に弾性付勢する弾性部材を設ける構成とし、前記一対の押圧ローラ間の搬送路上方に、前記アンテナ部とデータ処理部を一体化した前記ＩＣデータ処理ユニットを設置可能なスペースを形成したことを特徴とする非接触ＩＣカード処理装置。
【請求項２】
搬送路側壁の一方に着脱自由に係止する係止片を有し、搬送路側壁に係止した状態で下面が非接触ＩＣカードの搬送をガイドするガイド部となるガイド部材を設け、該ガイド部材の搬送路側壁と反対側側面に突設したリテーナ部と前記連結部材の上面との間に、前記弾性部材を介在する構成とした請求項１に記載の非接触ＩＣカード処理装置。
【請求項３】
前記ガイド部材は、前記搬送面と略平行に伸びる前記連結部材の両端部上方にそれぞれ前記リテーナ部が突設され、前記連結部材の各端部上面と前記ガイド部材の各リテーナ部との間にそれぞれ前記弾性部材を介在する構成である請求項２に記載の非接触ＩＣカード処理装置。
【請求項４】
アンテナ部とデータ処理部を一体化した前記ＩＣデータ処理ユニットを、搬送路上方の前記スペースに前記アンテナ部を搬送面側に近接させて配置し、前記ガイド部材に固定する構成とした請求項２又は３に記載の非接触ＩＣカード処理装置。
【請求項５】
前記ガイド部材は、その下面が前記搬送路の幅と略同等の幅を有し、該下面の搬送方向に沿った両端部を、非接触ＩＣカードの搬送をガイドするガイド部とする構成である請求項２〜４のいずれか１つに記載の非接触ＩＣカード処理装置。
【請求項６】
前記ガイド部材は、搬送方向に沿って前記係止片を複数有する構成である請求項２〜５のいずれか１つに記載の非接触ＩＣカード処理装置。
【請求項７】
前記ガイド部材は、搬送方向の一方の端部を、搬送面に対して上方向に回動可能なように前記搬送路側壁に軸支され、他方の端部に前記係止片を設ける構成である請求項２〜５のいずれか１つに記載の非接触ＩＣカード処理装置。
【請求項８】
前記ＩＣデータ処理ユニットでデータ処理された非接触ＩＣカードに対して目視データを印字処理する印字処理部の搬送路の上側に、搬送面を挟んで搬送ローラと対向する押圧ローラを搬送ローラ側に押圧する加圧ユニットを設け、該加圧ユニットを取外すことで搬送路上側が開放される構成である請求項２〜７にいずれか１つに記載の非接触ＩＣカード処理装置。
【請求項９】
前記一対の押圧ローラ間の搬送路下方に、前記アンテナ部とデータ処理部を一体化した前記ＩＣデータ処理ユニットを設置可能なスペースを有する構成である請求項１〜８のいずれか１つに記載の非接触ＩＣカード処理装置。
【発明の詳細な説明】
【０００１】
【発明の属する技術分野】
本発明は、非接触ＩＣカードを搬送しながらデータの読取り／書込み処理（以下、Ｒ／Ｗ処理とする）を行なう非接触ＩＣカード処理装置に関し、特に、非接触ＩＣカードの通信距離の長短に関係なくアンテナ部とデータ処理部を一体化してＩＣデータ処理ユニットを配置できるようにした非接触ＩＣカード処理装置に関する。
【０００２】
【従来の技術】
近年、非接触ＩＣカードは、パーキングカード、ポイントカード、定期券、入場券等、様々なカード類に適用されている。このようなカード類では、データのＲ／Ｗ処理と共に、その内容を目視できるよう表示することが必要な場合がある。この場合は、カード搬送路に沿ってＲ／Ｗ処理部と印字処理部を設け、Ｒ／Ｗ処理と目視データの印字処理を連続的に行なう構成の非接触ＩＣカード処理装置が使用される。
【０００３】
図７に、従来のこの種の非接触ＩＣカード処理装置におけるＲ／Ｗ処理部の構成の概略を示す。
図７において、搬送方向に間隔を設けて配置された搬送ローラ１，２と非接触ＩＣカード（図示せず）の搬送面Ａを挟んで対向する押圧ローラ３，４が搬送面Ａの上側に設けられる。各押圧ローラ３，４の向きが不揃いになることでカード搬送に支障が生じるのを防ぐために、図８に示ような梯子状の板バネ５で押圧ローラ３，４を連結すると共に、搬送ローラ１，２側に弾性付勢している。押圧ローラ３，４は、板バネ５に固定された支軸６，７に回転自由に設けられ、そのプーリ部にベルト８が巻回されている。板バネ５の中央部には支点軸９が固定されており、板金製の搬送路側壁１０，１１の貫通孔１０ａ，１１ｂに、前記支点軸９端部を貫通して板バネ５を搬送路側壁１０，１１に支持する。１２は、支点軸９に回転自由に設けられたアイドラプーリで、板バネ５を避けてベルト８を張架するためのものである。押圧ローラ３，４の間の搬送路部分に配置されるＩＣデータ処理ユニット１３は、搬送路下方に配置されたデータ処理部１３Ａと、搬送面Ａと板バネ５の間に配置されたアンテナ部１３Ｂを備え、データ処理部１３Ａとアンテナ部１３Ｂは配線１４で電気的に接続されている。図１中、１５ａ、１５ｂは、搬送路に沿って適所に配置された位置検出用センサ（図中点線で示す）、１５ｃはカードの向き及び表裏判定用センサ（図中点線で示す）、１６は、搬送ローラ１を駆動するモータである。モータ１６の動力は、ベルト１７，１８を介して搬送ローラ１に伝達され、搬送ローラ１に圧接する押圧ローラ３が回転し、ベルト８を介して押圧ローラ４が回転し、押圧ローラ４が圧接する搬送ローラ２が回転する。
【０００４】
かかる構成の処理装置によるＲ／Ｗ処理動作を簡単に説明する。
挿入口１９側から非接触ＩＣカードが挿入され、センサ１５ａによりカードの挿入が検知されると、モータ１６が駆動してカードがローラ２，４で挟持されて図１中左方向に搬送され、センサ１５ｃでカード挿入方向及び表裏の検知が行なわれ、正しければ搬送動作を継続する。センサ１５ｂでカードが検知されると、ＩＣデータ処理ユニット１３によりデータのＲ／Ｗ処理が実行される。Ｒ／Ｗ処理が終了すると、カードを図１中左方向に搬送して印字処理部による印字処理を実行する。両処理が終了すればカードを挿入口１９側に返却する。
【０００５】
【発明が解決しようとする課題】
ところで、非接触ＩＣカードのＩＣチップは多種多様で、通信距離の長いもの（通信距離２５ｍｍ以上）もあれば短いもの（通信距離５〜１０ｍｍ）もあり、この種の非接触ＩＣカード処理装置は、様々な非接触ＩＣカードに対応できるものが求められている。この場合、組立て作業性や組立て後のカード詰まり発生時の対応を考慮すれば、ＩＣデータ処理ユニットとして、アンテナ部とデータ処理部を一体化して配置できることが望ましい。
【０００６】
しかしながら、図７及び図８に示すような従来構造では、搬送面Ａに近接してアンテナ部を配置する必要がある通信距離の短い非接触ＩＣカードに対しては、センサ１５ｃ等があるために図７に示すように搬送面Ａの上側で搬送面Ａに近接してアンテナ部１３Ｂを配置せざるを得ない。この場合、押圧ローラ３，４を連結する板バネ５が邪魔になりデータ処理部１３Ａの設置スペースがなく、ＩＣでータ処理ユニット１３をデータ処理部１３Ａとアンテナ部１３Ｂに分離し、データ処理部１３Ａは図７に示すように搬送路下方に配置している。このため、アンテナ部１３Ｂとデータ処理部１３Ａとの間に長い配線１４が必要となり、組立てに手間がかかるという問題があった。また、組立て作業前にＩＣデータ処理ユニット１３のアンテナ部１３Ｂとデータ処理部１３Ａを分離するため、両者の対応関係に食違いが生じないようにＩＣデータ処理ユニットを管理する必要が生じる。
【０００７】
更には、組立て後にカード詰まりが発生した場合、非接触ＩＣカードを取り出すために板バネ５及びアンテナ部１３Ｂを外して搬送路を開放するが、この場合に、アンテナ部１３Ｂを取外す前に配線を外す必要があり、搬送路の開放に手間がかかる。
尚、アンテナ部を搬送面Ａから離して配置できる通信距離の長い非接触ＩＣカードに対しては、センサ１５ｃより下方のスペースを利用して、アンテナ部とデータ処理部を一体化してＩＣデータ処理ユニットを配置することが可能である。
【０００８】
本発明は上記問題点に着目してなされたもので、非接触ＩＣカードの通信距離の長短に関係なくアンテナ部とデータ処理部を一体化してＩＣデータ処理ユニットの配置を可能とした非接触ＩＣカード処理装置を提供することを目的とする。
【０００９】
【課題を解決するための手段】
このため、請求項１の発明では、非接触ＩＣカードの搬送路に沿って間隔を設けて配置される搬送ローラと搬送面を挟んで対向して搬送路上側に配置され、連結部材により互いに連結されて前記搬送ローラ側に弾性付勢される一対の押圧ローラを備え、該一対の押圧ローラ間の搬送路部分で、アンテナ部とデータ処理部を備えるＩＣデータ処理ユニットにより前記非接触ＩＣカードに対してデータの読取り／書込み処理を行なう非接触ＩＣカード処理装置であって、前記連結部材を、両端部に前記押圧ローラを回転自由に設け中央部が搬送路から離れる方向に略コ字状に折曲された形状にすると共に、前記連結部材の上面側を介して押圧ローラを搬送ローラ側に弾性付勢する弾性部材を設ける構成とし、前記一対の押圧ローラ間の搬送路上方に、前記アンテナ部とデータ処理部を一体化した前記ＩＣデータ処理ユニットを設置可能なスペースを形成したことを特徴とする。
【００１０】
かかる構成では、一対の押圧ローラを連結する連結部材の中央部が搬送路から離れる方向に略コ字状に折曲されているので、一対の押圧ローラ間の搬送路部分の上方に従来より広いスペースが確保できる。このスペースに、アンテナ部とデータ処理部を一体化したＩＣデータ処理ユニットを、アンテナ部を搬送面側に近接させるようにして配置できるようになる。
【００１１】
請求項２の発明では、搬送路側壁の一方に着脱自由に係止する係止片を有し、搬送路側壁に係止した状態で下面が非接触ＩＣカードの搬送をガイドするガイド部となるガイド部材を設け、該ガイド部材の搬送路側壁と反対側側面に突設したリテーナ部と前記連結部材の上面との間に、前記弾性部材を介在する構成とした。
【００１２】
かかる構成では、ガイド部材の係止部を搬送路側壁から外すだけで、ガイド部材及び連結部材を取外すことができ、搬送路の開放が容易となる。
具体的には、請求項３のように、前記ガイド部材は、前記搬送面と略平行に伸びる前記連結部材の両端部上方にそれぞれ前記リテーナ部が突設され、前記連結部材の各端部上面と前記ガイド部材の各リテーナ部との間にそれぞれ前記弾性部材を介在する構成とするとよい。
【００１３】
請求項４のように、アンテナ部とデータ処理部を一体化した前記ＩＣデータ処理ユニットを、搬送路上方の前記スペースに前記アンテナ部を搬送面側に近接させて配置し、前記ガイド部材に固定する構成とすれば、通信距離の短い非接触ＩＣカードに対してもデータのＲ／Ｗ処理が可能となる。また、ガイド部材を搬送路側壁から外せば、ＩＣデータ処理ユニットも外れるので搬送路の開放がより一層容易になる。
【００１４】
請求項５の発明では、前記ガイド部材は、その下面が前記搬送路の幅と略同等の幅を有し、該下面の搬送方向に沿った両端部を、非接触ＩＣカードの搬送をガイドするガイド部とする構成である。
かかる構成では、ガイド部材を取付ければ、搬送路の両側に非接触ＩＣカードの搬送をガイドするガイド部材の取付けができ、ガイド部材と反対側の搬送路側壁側に、ガイド部材とは別のガイド部材を取付ける必要がなくなり、組立て作業が容易となる。
【００１５】
前記ガイド部材は、請求項６のように、前記ガイド部材は、搬送方向に沿って前記係止片を複数有する構成として、搬送路側壁から取外せるようにしてもよく、また、請求項７のように、搬送方向の一方の端部を、搬送面に対して上方向に回動可能なように前記搬送路側壁に軸支され、他方の端部に前記係止片を設ける構成として、搬送路の上方向に回動すれば搬送路が開放できるようにしてもよい。
【００１６】
請求項２の構成において、請求項８のように、前記ＩＣデータ処理ユニットでデータ処理された非接触ＩＣカードに対して目視データを印字処理する印字処理部の搬送路の上側に、搬送面を挟んで搬送ローラと対向する押圧ローラを搬送ローラ側に押圧する加圧ユニットを設け、該加圧ユニットを取外すことで搬送路上側が開放される構成とするとよい。
【００１７】
かかる構成では、Ｒ／Ｗ処理部の搬送路の開放が容易になるのに加えて印字処理部の搬送路の開放が容易となり、搬送路全体の開放が容易になり、カード詰まり発生時におけるカードの除去が極めて容易となる。
また、請求項９のように、前記一対の押圧ローラ間の搬送路下方に、前記アンテナ部とデータ処理部を一体化した前記ＩＣデータ処理ユニットを設置可能なスペースを有する構成とすれば、ＩＣデータ処理ユニットの設置場所を搬送路の上方にするか下方にするかを選択できるようになる。
【００１８】
【発明の実施の形態】
以下、本発明の実施形態を図面に基づいて説明する。
図１に、本発明に係る非接触ＩＣカード処理装置の一実施形態の概略構成図を示す。尚、図７の従来例と同一部分には同一符号を付して説明を省略する。
図１において、本実施形態の非接触ＩＣカード処理装置２０は、挿入される非接触ＩＣカード２１に対してデータのＲ／Ｗ処理を行なうＲ／Ｗ処理部３０と、Ｒ／Ｗ処理部３０でデータ処理した非接触ＩＣカード２１の印刷領域に目視データの印字処理を行なう印字処理部５０とを備える。
【００１９】
Ｒ／Ｗ処理部３０は、搬送路に沿って搬送面Ａ下側に間隔を設けて配置された搬送ローラ３１，３２と、搬送面Ａを挟んで搬送ローラ３１，３２と対向する押圧ローラ３３，３４と、押圧ローラ３３，３４を互いに連結し回転自由に支持する後述する合成樹脂製の連結部材３５と、搬送路側壁の一方に着脱自由に係止して非接触ＩＣカード２１の搬送をガイドするための後述する合成樹脂製のガイド部材３６と、ガイド部材３６と連結部材３５上面との間に介在して連結部材３５を介して押圧ローラ３３，３４を搬送ローラ３１，３２側に押圧する弾性部材としてのコイルバネ３７，３７と、押圧ローラ３３，３４間の搬送路において非接触ＩＣカード２１に対してデータのＲ／Ｗ処理を行なうＩＣデータ処理ユニット３８と、従来と同様のセンサ１５ａ〜１５ｃと、モータ１６とを備える。
【００２０】
図２に、連結部材３５及びガイド部材３６の詳細を示す。
前記連結部材３５は、各端部３５ａ，３５ａが搬送面Ａと略平行に伸び、中央部３５ｂが搬送路から離れる方向に略コ字状に折曲された形状である。各端部３５ａ，３５ａの側壁に、それぞれ支軸３５Ａ，３５Ａの一端が図３に示すように嵌合固定され、各支軸３５Ａ，３５Ａに軸受け３５Ｂ，３５Ｂを介して押圧ローラ３３，３４が回転自由に取付けられる。各端部３５ａ，３５ａの上面には、コイルバネ３７，３７のリテーナ部３５ｃ，３５ｃが突設されている。
【００２１】
前記ガイド部材３６は、両端部３６Ａ，３６Ａが上面開口の略箱状に形成され、中央部３６Ｂが板状に形成されている。各端部３６Ａ，３６Ａには、一方の側壁上端部に図３に示すように下面に突設部を有しコイルバネ３７，３７の一端を保持するリテーナ部３６ａ，３６ａが側方側に突設され、他方の側壁上端部に図３のように搬送路側壁３９の通孔３９ａに着脱自由に係止する側方に突出した係止片３６ｂ，３６ｂと、上方に突出した爪部３６ｃ，３６ｃが形成されている。ガイド部材３６の下面は、搬送路側壁３９に係止した状態で非接触ＩＣカード２１の搬送をガイドするガイド部３６ｄとなる。また、中央部３６Ｂには、アンテナ部とデータ処理部を板金製のケースで一体に組付けて構成されるＩＣデータ処理ユニット３８（図２中、２点鎖線で示す）をネジ止めするための取付孔３６ｅ，３６ｅが形成されている。また、図３に示すように、板金製の搬送路側壁３９に対面する同じく板金製の他方の搬送路側壁３９には、ガイド部材３６と協働して非接触ＩＣカード２１の搬送をガイドするガイド部材４０が固定されている。搬送路側壁３９，３９は、非接触ＩＣカード２１の搬送時における側面ガイドとなる。図３中の４１は、処理装置２０全体の制御を行なう制御ボードである。
【００２２】
尚、搬送ローラ３２は、図３に示すように、歯付きベルト４２が巻き掛けられるローラ部と押圧ローラ３４が圧接するローラ部が回転軸に固定されており、樹脂製の支持部に軸受けを介して回転軸が回転自由に軸支されている。搬送ローラ３１は、モータ１６側の駆動ベルト１８を巻き掛けるプーリ部を備える以外は搬送ローラ３２と同様の構成である。
【００２３】
印字処理部５０は、印字用サーマルヘッド５１と、サーマルヘッド上方に配置される冷却ファン５２と、サーマルヘッド５１と搬送面Ａを挟んで対向する印字用プラテンローラ５３と、プラテンローラ５３を駆動するソレノイド５４と、搬送ローラ５５，５６と、アイドラプーリ５７と、搬送面Ａを挟んで搬送ローラ５５，５６と対向する押圧ローラ５８，５９を搬送ローラ側に押圧するため搬送路の上側に配置された加圧ユニット６０と、図示しないカード発行部から供給される非接触ＩＣカードを検出するためのセンサ１５ｄ，１５ｅ（図１中、破線で示す）を備える。
【００２４】
前記加圧ユニット６０は、本出願人により先に提案した例えば特願２００１−２９８４２５号等に示された構成とするとよい。
即ち、押圧ローラ５８，５９をバネにより図１で下向きに常時弾性付勢された状態で軸支する加圧ユニット６０に、２個の略Ｕ字状の弾性腕を互いに対向するように形成し、各弾性腕の先端部内側に突起を設ける。そして、各突起を例えば一方の搬送路側壁３９（図１中で紙面背面側）に取付けた一対のブッシングの通孔にそれぞれ挿入することにより、加圧ユニット６０が搬送路側壁３９に対して図１中で紙面の背面側に回動自由に軸支されるようにする。また、加圧ユニット６０の弾性腕側と反対側に２個の係止爪を設け、他方の搬送路側壁（図１中で紙面手前側）に取付けたバネ鋼からなるラッチの開口部に係止爪を係止することで加圧ユニット６０を搬送路上方に閉じた状態で固定できるようになっている。従って、加圧ユニット６０は、係止爪をラッチから外すだけで、搬送路側壁３９に対して回動すれば搬送路上方を容易に開放できる構成である。
【００２５】
かかる構成の非接触ＩＣカード処理装置の動作について簡単に説明する。
モータ１６の動力は、ベルト１７，１８を介して搬送ローラ３１に伝達され、ベルト４２を介して他方の搬送ローラ３２に伝達され、コイルバネ３７，３７の弾性付勢力により搬送ローラ３１，３２に圧接する押圧ローラ３３，３４に伝達される。非接触ＩＣカード２１が挿入されセンサ１５ａによりカードの挿入が検知されると、モータ１６が駆動して非接触ＩＣカード２１が装置内部に取込まれる。センサ１５ｃでカード挿入方向及び表裏の検知が行なわれ、正しければ搬送動作を継続し、センサ１５ｂでカードが検知されると、ＩＣデータ処理ユニット３８によりデータのＲ／Ｗ処理が実行され、Ｒ／Ｗ処理終了後、印字処理部５０に搬送される。
【００２６】
印字処理部５０では、プラテンローラ５３及び一方の搬送ローラ５６を回転自由に軸支する支持部材６１を、ソレノイド５４により図１中上下方向に間欠的に駆動してプラテンローラ５３を介して非接触ＩＣカード２１をサーマルヘッド５１に圧接し印字を行なう。このソレノイド５４の動作に同期させて、モータ１６で駆動されるプラテンローラ５３及び搬送ローラ５５，５６と加圧ユニット６０の押圧ローラ５８，５９とにより非接触ＩＣカード２１の搬送動作を行い、非接触ＩＣカード２１の所定位置に印字を行なう。印字処理部５０での印字処理終了後は、モータ１６を逆転して非接触ＩＣカード２１を挿入口側に返却する。
【００２７】
そして、本実施形態では、Ｒ／Ｗ処理部３０において、搬送路上側に配置する押圧ローラ３３，３４の連結部材３５を、その中央部３５Ｂが搬送路から離れる方向に略コ字状に折曲する形状とすることで、搬送路上側に広い空間スペースを形成するようにした。これにより、アンテナ部を搬送路に近接させる必要がある通信距離の短い（通信距離５〜１０ｍｍ）非接触ＩＣカード対応の非接触ＩＣカード処理装置の場合でも、アンテナ部上方にデータ処理部を板金製のケースで一体に組付けたＩＣデータ処理ユニット３８が図１に示すように実装可能である。
【００２８】
このため、通信距離の長短に関係なく様々な非接触ＩＣカードに対して、アンテナ部とデータ処理部を分離することなく、一体化したＩＣデータ処理ユニット３８を使用できる。従って、通信距離の短い非接触ＩＣカード対応の処理装置とする場合に、アンテナ部とデータ処理部の対応関係を管理する必要がなくなる。また、アンテナ部とデータ処理部を個別に組付ける必要がなく、装置の組立て作業性が向上できる。
【００２９】
また、ガイド部材３６は、爪部３６ｃ，３６ｃを図３中左方向に押して搬送路側壁３９の通孔３９ａから係止片３６ｂ，３６ｂを抜くだけで、搬送路側壁３９から外せる。しかも、ＩＣデータ処理ユニット３８をガイド部材３６の中央部３６Ｂに取付ける構成であるので、ガイド部材３６及び連結部材３５の取外しと同時にＩＣ処理ユニット３８も取外せる。このため、カード詰まり発生時に搬送路上側を極めて簡単に開放でき、カード除去作業が容易となりメンテナンスが容易である。
【００３０】
更に、本実施形態では、印字処理部５０側も搬送路上側の加圧ユニット６０の係止爪をラッチから外すだけで、搬送路上方を容易に開放できるので、Ｒ／Ｗ処理部３０及び印字処理部５０を含む非接触ＩＣカード処理装置２１の搬送路全体が容易に開放でき、カード詰まり発生時のカード除去等のメンテナンスが極めて容易である。
【００３１】
ガイド部材の形状は図２のような形状に限るものでなく、図４〜図６にガイド部材のそれぞれ別の例を示す。
図４のガイド部材７０は、図３において他方の搬送路側壁３９側に取付けたガイド部材４０を省略して、ガイド部材７０の両側に非接触ＩＣカードの搬送ガイド部７１，７１を形成するようにしたものである。その他の構成は、上述したガイド部材３６と同様である。かかる構成のガイド部材７０によれば、Ｒ／Ｗ処理部３０における搬送路上側のガイド部材の取付け作業が、ガイド部材７０を取付けるだけよく、非接触ＩＣカード処理装置の組立て作業性が向上する。
【００３２】
図５のガイド部材８０は、ガイド部材８０の一方の端部側に通孔８１を設け、該通孔８１に、搬送路側壁３９に固定した回転軸（図示せず）を貫通させ、該回転軸回りに回動可能な構成である。その他の構成は、上述したガイド部材３６と同様である。かかる構成のガイド部材８０は、他方の係止片を搬送路側壁３９から外し、回転軸回りにガイド部材８０を回動すれば、搬送路上側を開放することができる。
【００３３】
図６のガイド部材９０は、その中央部９０Ａを、連結部材３５の形状に合わせて略コ字状に折曲形成するようにしたものである。その他の構成は、上述したガイド部材３６と同様である。かかる構成のガイド部材９０の場合は、ＩＣデータ処理ユニット３８をガイド部材９０ではなく搬送路側壁３９側に取付ける。このため、搬送路上側を開放する場合に、ガイド部材９０とＩＣ処理ユニット３８を別々に取外す必要があり、図２〜図５のガイド部材３６，７０，８０に比べて搬送路上側の開放作業に手間がかかるが、ＩＣ処理ユニット３８がアンテナ部とデータ処理部が一体化されているので、従来構造に比べれば、アンテナ部とデータ処理部間の配線取外し作業等がない分だけ搬送路上側の開放作業が容易となる。
【００３４】
尚、本発明の非接触ＩＣカード処理装置は、通信距離の長い（通信距離２５ｍｍ以上）非接触ＩＣカードに対応する場合も、Ｒ／Ｗ処理部３０における押圧ローラ３３，３４間の搬送路上側のスペースにＩＣデータ処理ユニット３８を配置してもよいが、従来と同様に図１に２点鎖線で示すように、押圧ローラ３３，３４間の搬送路下方にも、アンテナ部とデータ処理部を一体化したＩＣデータ処理ユニット３８を配置可能なスペースを有するので、押圧ローラ３３，３４間の搬送路下方にＩＣデータ処理ユニット３８を配置することは可能である。
【００３５】
【発明の効果】
以上説明したように本発明によれば、一対の押圧ローラの連結部材の形状を工夫することにより、搬送路上方にアンテナ部とデータ処理部を一体化したＩＣデータ処理ユニットを配置できるようにしたので、アンテナ部を搬送面に近接する必要がある通信距離の短い非接触ＩＣカードに対応する場合でもＩＣデータ処理ユニットのアンテナ部とデータ処理部を一体化して組付けできる。従って、ＩＣ処理ユニットの組付け作業性を向上できるだけでなく、アンテナ部とデータ処理部の対応関係の管理が不要になる利点を有する。また、ＩＣデータ処理ユニットを搬送路上側に配置した場合でも、ＩＣデータ処理ユニットの取外しが容易で搬送路の開放が容易となり、カード詰まり発生時におけるカード除去等のメンテナンス作業が容易となる。
【００３６】
また、搬送路側壁に着脱自由に係止させたガイド部材にＩＣデータ処理ユニットを取付けることにより、ガイド部材と一体にＩＣデータ処理ユニットの取外しができるので、より一層搬送路の開放作業が容易となりメンテナンス作業が容易となる。
更に、印字処理部の搬送路の上側に取外しが容易な加圧ユニットを設ける構成とすれば、非接触ＩＣカード処理装置の搬送路全体を容易に開放でき、カード除去等のメンテナンス作業性がより一層向上する。
【図面の簡単な説明】
【図１】本発明に係る非接触ＩＣカード処理装置の一実施形態の概略構成図
【図２】同上実施形態の連結部材及びガイド部材の説明図
【図３】ガイド部材の係止状態を示す断面図
【図４】ガイド部材の別の構成例を示す斜視図
【図５】ガイド部材の別の構成例を示す斜視図
【図６】ガイド部材の別の構成例を示す斜視図
【図７】従来装置のＲ／Ｗ処理部の概略構成図
【図８】従来の押圧ローラの連結構造の説明図
【符号の説明】
２０　　非接触ＩＣカード処理装置
３０　　Ｒ／Ｗ処理部
３１，３２　　搬送ローラ
３３，３４　　押圧ローラ
３５　　連結部材
３６，７０，８０，９０　　ガイド部材
３６ａ　　リテーナ部
３６ｂ　　係止片
３６ｃ　　爪部
３７　　コイルバネ
３８　　ＩＣデータ処理ユニット
３９　　搬送路側壁
５０　　印字処理部
６０　　加圧ユニット
【図１】
2004013633.tif 000003
【図２】
2004013633.tif 000004
【図３】
2004013633.tif 000005
【図４】
2004013633.tif 000006
【図５】
2004013633.tif 000007
【図６】
2004013633.tif 000008
【図７】
2004013633.tif 000009
【図８】
2004013633.tif 000010